(57)【特許請求の範囲】
【請求項１】
耐火スクリーンに避難扉を開閉自在に設け、該避難扉を前記耐火スクリーンに重ね合わせて閉じるようにした防火防煙シャッターにおいて、前記耐火スクリーンの下部には重りとなる長尺座板部が形成され、前記避難扉の下部には複数の子短尺部材をバネ付き蝶番で連結する短尺部材が取付けられ、該短尺部材は前記避難扉の回動側が前記長尺座板部にバネ付き蝶番により回動自在で固定され、前記耐火スクリーン及び前記避難扉には該耐火スクリーンと該避難扉を固着する面ファスナーを設けたことを特徴とする防火防煙シャッター。
【請求項２】
前記短尺部材又は子短尺部材が、線状バネ材、コイル状バネ材、線状バネとコイル状バネの複合バネ材、合成樹脂板、バネ鋼板、アルミニウム鋼板又はこれらの組み合わせであることを特徴とする請求項１記載の防火防煙シャッター。
【請求項３】
前記面ファスナーはステンレス製面ファスナーであることを特徴する請求項１又は２記載の防火防煙シャッター。
【請求項４】
前記面ファスナーはステンレス製面ファスナーと樹脂製面ファスナーとを、それぞれ別の場所に用いる併用ファスナーであることを特徴する請求項１〜３のいずれか１項記載の防火防煙シャッター。
【請求項５】
前記避難扉側の面ファスナーの取付位置は、前記避難扉が開閉する際、最高速度となる部位及びその近傍である請求項１〜４のいずれか１項記載の防火防煙シャッター。
【請求項６】
前記複数の子短尺部材の開閉側の前方端には、それぞれ面ファスナーを設けたことを特徴とする請求項１〜５のいずれか１項記載の防火防煙シャッター。
【発明の詳細な説明】
【０００１】
【発明の属する技術分野】
本発明は、ガラス繊維等の耐火スクリーンに避難扉を設け、人が容易に通過でき、且つ火災の延焼や煙の拡散を防止することができる防火防煙シャッターに関する。
【０００２】
【従来の技術】
従来の防火防煙シャッターとして、特開平１０−３３７０５号公報による防火区画用スクリーン装置が知られている。この防火区画用スクリーン装置は、図１０に示すように、天井や梁下から垂下して設置され、建物の内部空間を遮蔽する不燃あるいは耐火スクリーン５０があり、この耐火スクリーン５０には垂直方向に下端まで達して形成された１つのスリット部５１があり、そこで耐火スクリーン５０が左右に分けられている。耐火スクリーン５０の下端には、スリット部５１の左右の所定長さ部分を除き、メインウエイトバー５２、５３が水平方向に取り付けられている。そして、この耐火スクリーン５０下端におけるスリット部５１の左右の所定長さ部分には、左右に独立したサブウエイトバー５４、５５が水平に取り付けられている。
【０００３】
従って、この防火区画用スクリーン装置によれば、避難する人が手でスリット部５１を容易に押し広げることができ、避難した後はサブウエイトバー５４、５５の重力により、スリット部５１が耐火スクリーン５０下端におけるスリット部５１の左右の所定長さ部分に戻り、スリット部５１が閉じ、以後は火災の延焼や煙の拡散を防止することができるものである。
【０００４】
【発明が解決しようとする課題】
しかしながら、上記防火区画用スクリーン装置を再現した実験によれば、火災によって発生する風圧により、サブウエイトバー５４、５５の重力だけでは、スリット部５１を閉鎖状態に保つことは困難であり、延焼や煙の拡散を防止することが難しい。更に、上記公報にはメインウエイトバー５２、５３とサブウエイトバー５４、５５とを永久磁石の磁力で引き合うようにする記載もあるが、これも実験によると、火災時における高温状況において、永久磁石はその磁力が急速に低下し、やはりスリット部５１を閉鎖状態に保つことは困難であり、延焼や煙の拡散を防止することが難しいという問題がある。また、防火防煙シャッターには、火災時に想定される、例えば柱が倒れかかってきた場合等の建築材料の倒壊等に起因する物理的な衝撃に耐える強度が必要とされるが、この点に関しても永久磁石を用いた構造では問題がある。すなわち、火災時における高温状況にした直後に天井から吊るした３kgの砂袋を50cmの高低差から振り子のようにしてスリット開口の中央部近傍に衝突させる実験では、永久磁石を用いた構成では、ほとんど磁力が失われるため、容易にスリット部５１が開放してしまう。また、避難扉を通って避難するという観点からは更に通り抜け易く、また、閉じる際には素早く確実に閉じる防火防煙シャッターが望まれていた。
【０００５】
従って、本発明の目的は、火災によって発生する風圧や温度上昇に伴う閉鎖状態の保持力低下を防止して、避難する人が容易に避難でき、且つ避難後は素早く確実に閉じて火災の延焼や煙の拡散を確実に防止することができる防火防煙シャッターを提供することにある。
【０００６】
【課題を解決するための手段】
かかる実情において、本発明者らは鋭意検討を行った結果、耐火スクリーンに重力により避難扉を重ね合わせて閉じる構造にし、耐火スクリーン及び避難扉にこれらを固着するステンレス製の面ファスナーを設けると、重ね合わさる際、耐火スクリーンと避難扉とを面ファスナーにより固着し、しかも火災が進み高温になると、ステンレス製の面ファスナーの固着力が増大し、強くなってくる風圧に抗し易くなること、更に避難扉の下に取付けられる短尺部材は分割された子短尺部材のバネ付き蝶番による連結物であるため、避難時は避難扉を手で押せば、避難扉が末広がり状に開口して通り易くなり、一方、避難後はバネ付き蝶番のバネ付勢力により素早く閉じて火災の延焼や煙の拡散を確実に防止することができる等を見出し、本発明を完成するに至った。
【０００８】
【０００９】
また、請求項１の発明は、耐火スクリーンに避難扉を開閉自在に設け、該避難扉を前記耐火スクリーンに重ね合わせて閉じるようにした防火防煙シャッターにおいて、前記耐火スクリーンの下部には重りとなる長尺座板部が形成され、前記避難扉の下部には複数の子短尺部材をバネ付き蝶番で連結する短尺部材が取付けられ、該短尺部材は前記避難扉の回動軸側が前記長尺座板部にバネ付き蝶番により回動自在で固定され、前記耐火スクリーン及び前記避難扉には該耐火スクリーンと該避難扉を固着する面ファスナーを設けたことを特徴とする防火防煙シャッターが提供される。かかる構成を採ることにより、人が避難扉を開ける際、避難扉が末広がり状に開口して通り易くなり、避難扉を通過し避難した後はバネ付き蝶番のバネ付勢力により素早く閉じて、避難扉が耐火スクリーンに重なり合う際、面ファスナーにより確実に固着して、火災による風圧によっては開くことがない。
【００１０】
また、請求項２の発明は、前記短尺部材又は子短尺部材が、線状バネ材、コイル状バネ材、線状バネとコイル状バネの複合バネ材、合成樹脂板、バネ鋼板、アルミニウム鋼板又はこれらの組み合わせであることを特徴とする防火防煙シャッターが提供される。かかる構成を採ることにより、比較的安価で入手し易く、且つ加工性に優れるため上記作用を確実に奏することができる。
【００１１】
また、請求項３の発明は、前記面ファスナーはステンレス製ファスナーである防火防煙シャッターが提供される。かかる構成を採ることにより、面ファスナーがステンレス製であるから、火災の進行により温度が上昇すると固着力が増大し、火災の進行に伴う風圧の増大に対応することができる。
【００１２】
また、請求項４の発明は、前記面ファスナーはステンレス製ファスナーと樹脂製ファスナーとを、それぞれ別の場所に用いる併用ファスナーである防火防煙シャッターが提供される。かかる構成を採ることにより、低価格であって、繰り返し利用による耐久性に優れる樹脂製面ファスナーと、耐熱性に優れるステンレス製面ファスナーの双方の利点を取り込むことが可能となる。
【００１３】
また、請求項５の発明は、前記避難扉側の面ファスナーの取付位置は、前記避難扉が開閉する際、最高速度となる部位及びその近傍である防火防煙シャッターが提供される。かかる構成を採ることにより、避難扉がバネ付き蝶番のバネの付勢力により耐火スクリーンに重なる際、避難扉の自重及び前記力の最大力が面ファスナーにかかり、避難扉と耐火スクリーンとが最も強く固着する。
【００１４】
また、請求項６の発明は、前記複数の子短尺部材の開閉側の前方端には、それぞれ面ファスナーを設けたことを特徴とする。かかる構成を採ることにより、避難扉の子短尺部材がバネ付き蝶番のバネの付勢力により耐火スクリーンに重なる際、より確実で且つ強固に固着する。
【００１５】
【発明の実施の形態】
次に、本発明の実施の形態である防火防煙シャッターについて図１〜図９に基づいて詳述する。図１は本発明の実施の形態である防火防煙シャッターを示す斜視図、図２は本発明の実施の形態である防火防煙シャッターの設置状態を示す横断面図、図３は本発明の実施の形態である防火防煙シャッターを構成する避難扉下部の断面図である。図において、防火防煙シャッター１は、天井や梁下に設置され、自重により天井や梁下から垂下して建物の内部空間を遮蔽し、図示しない巻取装置により巻き上げ、巻き下げられるものである。防火防煙シャッター１は、耐火スクリーン２に避難扉３を開閉自在に設け、この避難扉３を耐火スクリーン２に重ね合わせて閉じるようにしてあり、耐火スクリーン２及び避難扉３にはこれらを固着する面ファスナー４が付設されている。
【００１６】
前記耐火スクリーン２は、ガラス繊維の織布やシリカクロス等の不燃・耐火材料により構成され、固定スクリーン１０と可動スクリーン１１とに分かれ、それらの端部が重なり合っている。この固定スクリーン１０の下部には、重りである長尺座板１２及び短尺座板１３が固定スクリーン１０の下部を挟んだ状態で、ボルト１８ａにより取り付けられている。数m の幅を有する可動スクリーン１１の下部の面ファスナー４側の、例えば８０〜１００cmの所定長さ部分には弾発性を有する薄板状バネ鋼板である短尺部材１４が可動スクリーン１１にボルト１８ｂにより取り付けられ、短尺部材１４を除いた部分には重りである上記の長尺座板１２及び短尺座板１５（長尺座板１２及び短尺座板１５を併せて「長尺座板部」と定義する。）が可動スクリーン１１の下部を挟んだ状態で、ボルト１８ｃにより取り付けられている。また、短尺部材１４は避難扉の回動軸側において短尺座板１５にバネ付き蝶番１９で回動自在に取付けられている。従って、可動スクリーン１１の下部の短尺部材１４側は長尺座板１２にバネ付き蝶番１９で取付けられているから可動自在であり、これにより耐火スクリーン２には片開き式の避難扉３が形成される。なお、長尺座板１２及び短尺座板１３、１５は、火災時に設置場所である天井や梁下から耐火スクリーン２を垂下させるのに充分な重量があることが必要であるが、短尺部材１４それ自身は火災時に発生する風圧や圧力差が作用した場合に耐え得る重りではなく、これは後述する面ファスナーを使用することで補われる。また、長尺座板１２及び短尺座板１３、１５は上記のボルト締め以外に、これを一体化して長尺座板部を形成してもよい。
【００１７】
この避難扉３は、可動スクリーン１１の一部をなすものであり、折り目１６が付けられて、開閉し易くなっている。この避難扉３と、耐火スクリーン２の固定スクリーン１０との間には、面ファスナー４が取り付けられ、避難扉３が開閉自在となっている。この面ファスナー４はオスとメスとがあり、図３では、避難扉３側の面ファスナー４ａがオスであるから、固定スクリーン１０側にはメスの面ファスナー４ｂがフラットバー１７を介して取り付けられていることになる（図３中、ボルトは省略）。なお、この面ファスナー４のオス、メスは、逆に取り付けても特に支障はない。そして、この面ファスナー４はステンレス製であり、例えば、ＳＵＳ３０４、ＳＵＳ３１６等である。面ファスナー４をステンレス製にすることにより、耐火性に優れ、且つ温度が上昇すると永久磁石とは反対に固着力が向上する点で好ましい。火災が進行し温度が上昇すると風圧が上昇するから、温度上昇によりステンレス製の面ファスナー４の固着力が向上することは、固定スクリーン１０から避難扉３が開きにくくなる方向に作用して、防火防煙の点で極めて都合がよい。ステンレス製の面ファスナー４の温度上昇により固着力が向上する度合は、７００℃で３０％、９２５℃で４６％になる。これは、ステンレス材が高温度に晒されることにより、変質しその強度が増すためであると考えられる。なお、面ファスナー４の固着力が向上して避難扉３が開きにくくなったとしても、面ファスナー４が剥がれない訳ではない。また、避難扉３が利用されるのは火災初期であり、ステンレス製の面ファスナー４が変質して固着力を増すような高温時では防火防煙が問題となることからしても高温になるにつれて固着力が向上することは好ましい。なお、図３中、固定スクリーン１０の下部が袋状になっているのは、床面との隙間を無くし、煙が漏れないようにするためである。
【００１８】
また、この面ファスナー４は、ステンレス製ファスナーと、樹脂製ファスナーとを併用しても良い。すなわち、ステンレス製ファスナーは温度上昇により固着力が向上して都合がよいが、逆に繰り返し使用による固着力低下の不都合がある一方、樹脂製ファスナーは繰り返し使用による固着力低下が低く都合が良いが、温度に弱い。従って、図５に示すように、例えば、固定スクリーン１０の上の面ファスナー５をステンレス製面ファスナーとし、下の面ファスナー６を樹脂製面ファスナーとして併用すれば、双方の利点を利用できる。また、この面ファスナー４は、ステンレス製面ファスナーと樹脂製面ファスナーとを水平方向に並べて配置してもよく、ステンレス製面ファスナーと磁石とを併用してもよい。その理由は樹脂製面ファスナーと同様である。また、面ファスナー４ａの上下方向の幅に比較して、面ファスナー４ｂの上下方向の幅を大きくした場合、避難扉３にガタつきが発生し、その閉鎖の際の上下方向に振れてもいずれかの面ファスナー４ａ、４ｂの固着を確実に行え、避難扉３を閉鎖状態にできる。
【００１９】
そして、上記の通り詳述した面ファスナー４並びに短尺部材１４は、避難扉３にこれが開閉する際、最高速度となる部位及びその近傍に位置して設けられる。すなわち、図１に示す片開き式の避難扉３では、折り目１６を回動軸として開閉するから、この折り目１６から最も離れた位置Ａが最高速度となる部位になり、図２、図４に示す位置Ａ及びその近傍に面ファスナー４及び面ファスナー４を支持する短尺部材１４が取り付けられる。従って、この避難扉３が、折り目１６を回動中心として短尺部材１４の撓みの反力又は弾発力により矢印Ｂ方向に作用力が働き、耐火スクリーン２に重なる際、避難扉３の自重及び短尺座板１４が有する最大の慣性モーメントが面ファスナー４にかかり、避難扉３と耐火スクリーン２とが最も強く固着する。なお、面ファスナー４の固着力は、面ファスナー４にかかる押圧力に略比例する。
【００２０】
次に、上記構成を採る防火防煙シャッター１の使用方法を説明する。まず、建物の内部空間を遮蔽する位置の天井や梁下に防火防煙シャッター１を設置する。耐火スクリーン２は火災が発生すると図示しない巻取装置のロック状態が自動あるいは手動で解除され、自重により設置場所の天井や梁下から垂下して建物の内部空間を遮蔽する。この状態では耐火スクリーン２に避難扉３が固着して、閉鎖状態にあるから、火炎や煙を遮蔽している。避難者は避難扉３のスクリーン部に体ごと当たり面ファスナー４を剥がし開くか、あるいは手で避難扉３のスクリーン部を押して面ファスナー４を剥がしてから避難扉３を開いて、通過し避難する。この場合、扉の開口は避難扉の下部に取付けられた短尺部材１４の可撓性又はバネ弾性により開口先端に向け末広がり状となり通過が容易となる。避難直後、避難扉３は図４の状態になっているから、短尺部材はバネ付き蝶番の弾発力により素早く且つ確実に図１のように移動して、固定スクリーン１０側の面ファスナー４ｂに当たり、その時の慣性モーメントにより固着し、以後避難扉３が閉鎖状態となり、火炎や煙が遮蔽される。再び避難者が避難する場合も上記と同様に作用する。そして、火災が進行し温度上昇があると、ステンレス製の面ファスナー４はその固着力を増し、風圧が上昇しても避難扉３が閉鎖状態を維持し、火炎や煙を良く遮蔽することができ、その時点で仮に避難者がいても、避難扉３を開けることができるから避難できる。火災が鎮火したあと、建物全体の被害も含めて防火防煙シャッター１の被害が少ない状態であれば、防火防煙シャッター１を再び使用できる。
【００２１】
図６は可動スクリーン１１の避難扉３における他の実施形態である短尺部材１４ａを示すもので、避難扉３の下部を袋状物２１とし、袋状物２１に弾発性を有する線材（線状バネ材）１４Ａを入れ、固定する一端を短尺座板１５（長尺座板部）に固定金具１９ａで固定することで、短尺部材１４ａは矢線Ｃ方向に湾曲できて避難者が通りやすくなり、避難扉３が戻る時は短尺部材１４ａは矢線Ｄ方向に撓みの反力又は弾発力で素早く戻るため、避難扉３は耐火スクリーン２に確実に固着される。この場合、線材１４Ａの固定金具１９の近傍１４１に、避難扉３の曲がりを大きくするための、丸め加工（スプリング加工）を施したものも使用できる（不図示）。更に、避難扉３の下部は袋状とせず、線材１４Ａを避難扉３の下部のスクリーンに直接、固定金具等で固定するようにしてもよい（不図示）。
【００２２】
図７は可動スクリーン１１の避難扉３における他の実施形態である短尺部材１４ｂを示すもので、避難扉３の下部を袋状物２１とし、袋状物２１に薄板状バネ鋼板１４Ｂを入れ、固定する一端を短尺座板１５（長尺座板部）に固定金具１９ｂで固定することで、短尺部材１４ｂは矢線Ｃ方向に湾曲できて避難者が通りやすくなり、避難扉３が戻る時は短尺部材１４ｂは矢線Ｄ方向に撓みの反力又は弾発力で素早く戻るため、避難扉３は耐火スクリーン２に確実に固着される。また、避難扉３の下部は袋状とせず、線材１４Ｂを避難扉３の下部のスクリーンに直接、固定金具等で固定するようにしてもよい（不図示）。
【００２３】
図８及び図９は可動スクリーン１１の避難扉３における他の実施形態である短尺部材１４ｃを示すもので、子短尺部材である分割された３個の矩形状アクリル樹脂板１４１ａ、１４１ｂ、１４１ｃを互いにバネ付き蝶番１９ｃ、１９ｃで連接し、３個の矩形状アクリル樹脂板１４１ａ、１４１ｂ、１４１ｃをそれぞれ、ボルト１８ｂで避難扉３の下部に固定し、避難扉３の回動軸側の矩形状アクリル樹脂板１４１ｃを短尺座板１５（長尺座板部）にバネ付き蝶番１９ｃで固定することで、短尺部材１４ｃは矢線Ｃ方向に湾曲でき、しかも短尺部材１４ｃの先端側は分割された短尺部材１４ｃと蝶番の併用効果で、更に開口が広がり避難者が通りやすくなり、避難扉３が戻る時は短尺部材１４ｃは矢線Ｄ方向にバネ蝶番のバネの付勢力で素早く戻るため、矩形状アクリル樹脂板１４１ａの開閉側の前方端部に取付られた面ファスナー４ａと固定スクリーン１０側の面ファスナー４ｂとの接着により避難扉３は耐火スクリーン２に確実に固着される。この実施の形態の変形例として、複数の子短尺部材のそれぞれの開閉側の前端部に面ファスナーを取付るようにしてもよい。これにより、より正確且つ強固な固着となる。
【００２４】
本発明の短尺部材又は子短尺部材の他の例としては、線状バネ材、コイル状バネ材、線状バネとコイル状バネの複合バネ材、アクリル樹脂以外の合成樹脂板、板材、バネ鋼板及びアルミニウム鋼板等が挙げられ、コイルバネ材は避難扉の下部に直接取付けても、避難扉の下部を袋状物にし、これに入れ込むようにして取付けてもよい。また、複合バネ材は線状のバネ材であって、根元がコイル状に加工されているもので、曲げが円滑であり、且つ曲げ強度を有する。
【００２７】
【発明の効果】
請求項１の発明によれば、人が避難扉を開ける際、避難扉が末広がり状に段階的に開口して通り易くなり、避難扉を通過し避難した後はバネ付き蝶番のバネ付勢力により素早く閉じて、避難扉が耐火スクリーンに重なり合う際に面ファスナーにより確実に固着して、火災による風圧によっては開くことがない。
【００２８】
請求項２の発明によれば、比較的安価で入手し易く、且つ加工性に優れるため上記作用を確実に奏することができる。
【００２９】
請求項３の発明によれば、面ファスナーがステンレス製であるから、火災の進行により温度が上昇すると固着力が増大し、火災の進行に伴う風圧の増大に対応できる。従って、上記効果に加えて、火災の進行等により風圧が増大しても避難扉の閉鎖状態を保持でき、人の避難を確保しつつ避難後の風圧の増大に対応して延焼や煙の拡散を有効に防止できる。
【００３０】
請求項４の発明によれば、低価格であって、繰り返し利用による耐久性に優れる樹脂製面ファスナーと、耐熱性に優れるステンレス製面ファスナーの双方の利点を取り込むことが可能となる。従って、上記効果に加えて、面ファスナーの固着性を長期に渡り有効に確保して、人の避難を確保しつつ避難後の風圧の増大に対応して延焼や煙の拡散を有効に防止し、更に経済性にも優れる。
【００３１】
請求項５の発明によれば、避難扉がバネ付き蝶番のバネの付勢力により耐火スクリーンに重なる際、避難扉の自重及び短尺部材の前記作用力の最大力が面ファスナーにかかり、避難扉と耐火スクリーンとが最も強く固着する。従って、上記効果をなお一層高めることができる。
【００３２】
請求項６の発明によれば、避難扉の子短尺部材がバネ付き蝶番のバネの付勢力により耐火スクリーンに重なる際、より確実で且つ強固に固着する。
【図面の簡単な説明】
【図１】本発明の実施の形態である防火防煙シャッターを示す斜視図である。
【図２】本発明の実施の形態である防火防煙シャッターの設置状態を示す横断面図である。
【図３】本発明の実施の形態である防火防煙シャッターを構成する避難扉下部の断面図である。
【図４】本発明の実施の形態である防火防煙シャッターの使用状態を示す斜視図である。
【図５】図１の防火防煙シャッターを構成する他の実施の形態の面ファスナーの斜視図である。
【図６】図１の防火防煙シャッターを構成する他の実施の形態の短尺座板の斜視図である。
【図７】図１の防火防煙シャッターを構成する他の実施の形態の短尺座板の斜視図である。
【図８】図１の防火防煙シャッターを構成する他の実施の形態の短尺座板の斜視図である。
【図９】図８の防火防煙シャッターの設置状態を示す横断面図である。
【図１０】従来例を示す斜視図である。
【符号の説明】
１                    防火防煙シャッター
２、５０              耐火スクリーン
３                    避難扉
４、４ａ、４ｂ        面ファスナー
１０                  固定スクリーン
１１                  可動スクリーン
１２                  長尺座板
１３、１５            短尺座板
１４、１４ａ〜１４ｃ  短尺部材
１６                  折り目
１７                  フラットバー
１８ａ〜１８ｃ        ボルト
１９、１９ｃ          バネ付き蝶番
１９ａ、１９ｂ        固定金具
２１                  袋状物
５１                  スリット部
５２、５３            メインウエイトバー
５４、５５            サブウエイトバー
１４１ａ、１４１ｂ、１４１ｃ      子短尺部材
【図１】
0003732976.tif 000002
【図２】
0003732976.tif 000003
【図３】
0003732976.tif 000004
【図４】
0003732976.tif 000005
【図５】
0003732976.tif 000006
【図６】
0003732976.tif 000007
【図７】
0003732976.tif 000008
【図８】
0003732976.tif 000009
【図９】
0003732976.tif 000010
【図１０】
0003732976.tif 000011